(57)【要約】【課題】  本発明は既設のビル入口や地下道又は地下室入口に簡便に止水扉を装着することが可能で、かつこれを人力で迅速に開閉し緊急に止水又は遮水することのできる止水扉装置を得ることを目的とする。【解決手段】  通路１の一側に設けられる止水用直立板２の後向き面２”に、軸受板３，３を突設し、該軸受板３，３に上記通路１の止水扉４開閉用支軸５を設けてなり、上記止水扉４の一側端縁４’寄りの後向き面４”にＬ形腕６を突設し、該腕６の後端ボス部７を上記支軸５に回動自在及び昇降摺動自在に枢支して、該止水扉４を上記支軸５を中心に開閉自在とし、上記通路１を閉じた上記止水扉４の一側端縁４の後向き面４”が上記直立板２の前向き面に対面し、かつ上記通路１の他側に、上記止水扉４の他側端縁４ａの後向き面４”に対面する開閉自在の止水用直立板２’を設けてなる通路用止水装置。【選択図】  図１
2005113606.tif 000002
【特許請求の範囲】
【請求項１】
通路の一側に設けられる止水用直立板の後向き面に、軸受板を突設し、該軸受板に上記通路の止水扉開閉用支軸を設けてなり、
上記止水扉の一側端縁寄りの後向き面にＬ形腕を突設し、
該腕の後端ボス部を上記支軸に回動自在及び昇降摺動自在に枢支して、
該止水扉を上記支軸を中心に開閉自在とし、
上記通路を閉じた上記止水扉の一側端縁の後向き面が上記直立板の前向き面に対面し、
かつ上記通路の他側に、上記止水扉の他側端縁の後向き面に対面する開閉自在の止水用直立板を設けてなる通路用止水装置。
【請求項２】
上記通路の両側間床面に上記止水扉の下縁下降止水溝を凹設した請求項１記載の通路用止水装置。
【請求項３】
上記支軸に上記Ｌ形腕の後端ボス部の内面に設けた突起を摺動自在に係合する横溝及び縦溝を形成し、横溝に沿って上記腕及び上記止水扉を上記支軸を中心に開閉し、縦溝に沿って上記腕とその先端ボス部及び止水扉を昇降摺動自在とし、該止水扉を通路閉鎖状態において下降させる請求項１又は２記載の通路用止水装置。
【請求項４】
上記止水扉の両側寄り及び下縁部の後向き面又は下端面に止水パッキングを張設した請求項１〜３のいずれかに記載の通路用止水装置。
【請求項５】
上記止水扉の前向き面に該止水扉を後向きに押圧するカムハンドル及び該カムハンドルのカム支持面を後向きに設けた請求項１〜４のいずれかに記載の通路用止水装置。
【発明の詳細な説明】
【技術分野】
【０００１】
本発明は洪水時におけるビル等の入口通路や地下道への通路の遮水扉又は止水扉装置に関するものである。
【背景技術】
【０００２】
洪水時には人力で土嚢を積み上げてビルや地下道等の入口を塞いだが、堤防の決壊による洪水は市街地に急速に進水するため建造物の地下室や地下道等の入口通路を迅速緊急に止水又は遮水する必要がある。
【０００３】
一般に鎧戸が普及しているが鎧戸は止水又は遮水性に乏しく、緊急時に通路を遮断すると通路内に居る人々の脱出不能であるため却って危険である。
【０００４】
そこで地下駐車場の入口通路用の止水扉が発明された（例えば特許文献１）。
【０００５】
上記特許文献１によると止水板が通路面の下方に形成された地下室から止水板開口部に設けた防水シールプレート又はシールリングに接して通路上に上昇することによって当該通路を止水するものであり、下降させて止水板の上端面に設けた踏み板で上記止水板開口部を閉鎖し車を通行させるものである。
【０００６】
しかし、このような昇降形止水板では止水板駆動機構を収容する地下室を必要とし、かつ止水板を昇降させるための動力を必要とし、迅速簡便に設置することはきわめて困難であった。
【０００７】
【特許文献１】特開２００１−２４８１４０号公報
【発明の開示】
【発明が解決しようとする課題】
【０００８】
本発明は既設のビル入口や地下道又は地下室入口に簡便に止水扉を装着することが可能で、かつこれを人力で迅速に開閉し緊急に止水又は遮水することのできる止水扉装置を得ることを目的とする。
【課題を解決するための手段】
【０００９】
上記の目的を達成するため本発明は
第１に通路の一側に設けられる止水用直立板の後向き面に、軸受板を突設し、該軸受板に上記通路の止水扉開閉用支軸を設けてなり、上記止水扉の一側端縁寄りの後向き面にＬ形腕を突設し、該腕の後端ボス部を上記支軸に回動自在及び昇降摺動自在に枢支して、該止水扉を上記支軸を中心に開閉自在とし、上記通路を閉じた上記止水扉の一側端縁の後向き面が上記直立板の前向き面に対面し、かつ上記通路の他側に、上記止水扉の他側端縁の後向き面に対面する開閉自在の止水用直立板を設けてなる通路用止水装置、
第２に上記通路の両側間床面に上記止水扉の下縁下降止水溝を凹設した上記第１発明記載の通路用止水装置、
第３に上記支軸に上記Ｌ形腕の後端ボス部の内面に設けた突起を摺動自在に係合する横溝及び縦溝を形成し、横溝に沿って上記腕及び上記止水扉を上記支軸を中心に開閉し、縦溝に沿って上記腕とその先端ボス部及び止水扉を昇降摺動自在とし、該止水扉を通路閉鎖状態において下降させる上記第１又は第２発明記載の通路用止水装置、
第４に上記止水扉の両側寄り及び下縁部の後向き面又は下端面に止水パッキングを張設した上記第１〜第３発明のいずれかに記載の通路用止水装置、
第５に上記止水扉の前向き面に該止水扉を後向きに押圧するカムハンドル及び該カムハンドルのカム支持面を後向きに設けた上記第１〜第４発明のいずれかに記載の通路用止水装置、
によって構成される。
【００１０】
従って上記止水扉及び上記先端ボス部を支軸を中心に回動して通路の後側に開き、上記通路を通交することができる。
【００１１】
洪水による緊急時には通路の他側に設けられた止水用直立板を後側（後向き）に開き、
その状態で上記止水扉を通路と直角方向に回動し、他側の上記止水用直立板を上記止水扉の他側端縁の後向き面に対接させることによって該通路を該止水扉で閉鎖することができる。
【００１２】
その際上記止水扉の一側端縁寄りの後向き面は一側の止水用直立板の前向き面に対接する。
【００１３】
又上記止水扉が通路と直交した状態では該止水扉は上記先端ボス部に伴って上記支軸に沿って下降摺動し、止水扉の底面が通路床面又は上記止水溝内に自重により圧接し、該圧接部及び上記両対接部を水密に止水することができる。
【発明の効果】
【００１４】
本発明は通路の一側に設けた止水用直立板の後向き面の開閉支軸にＬ形腕を介して先端ボス部を枢支した止水扉を、
通路の後向きから道路と直交方向に回動して該止水扉の両端縁後向き面を、通路の両側に設けた止水用直立板の前向き面に対接し、かつ該止水扉の底面が通路の床面又は上記止水溝内面に自重で圧接し、上記両対接部及び圧接部を止水し得て迅速簡便に通路を止水又は遮水し得るばかりでなく、
止水扉の前向き面に設けたカムハンドルを回動させてカムによって該止水扉を後向きに押圧し、上記止水又は遮水を充分行い、緊急洪水時の通路入口部の止水を安全迅速に行うことができる。
【発明を実施するための最良の形態】
【００１５】
前後方向通路１の両側には側壁ｗ，ｗ’があり、一側壁ｗにはコ形形鋼材ｐを立設し、その後側板を止水用直立板２とする。又他側壁ｗ’にはコ形形鋼材ｐ’を立設し、その後側止水用直立板２’を蝶番２ａ，２ａにより後側に開き、通路１の方向と直角方向に閉じてその位置を上端板２ｂに設けたストッパ２ｂ’及び杭孔２ｃ’に挿入した止め杭２ｃによって保持する（図１、図４）。
【００１６】
一側壁ｗの上方形鋼材ｐの後側止水用直立板２の後向き面２”に軸受板３，３，３，３を上下に突設し、該軸受板３，３に上記通路１の止水扉４開閉用支軸５を設ける。
【００１７】
上記支軸５の外面上端部には図６（イ）（ロ）（ハ）（ニ）図及び図７（イ）（ロ）図に示すように横溝５’（水平溝）を円弧状に形成し、かつ縦溝５”（直立溝）を横溝５’に連通して形成する。
【００１８】
上記止水扉４の一側端縁４’寄りの後向き面４”には取付金具６’を溶着し、該取付金具６’にＬ形腕６の後端ボス部７を上記支軸５に回動自在及び昇降摺動自在に嵌合枢支する。
【００１９】
そして上記ボス部７の内面に設けた突起７’を上記横溝５’に水平方向に往復摺動自在に係合し、かつ該ボス部７を回動させて上記突起７’を上記縦溝５”に沿って下降させ、さらに上昇させることができる。
【００２０】
上記他側壁ｗ’に立設したコ形形鋼材ｐ’の後側止水用直立板２’を蝶番２ａ，２ａを中心に後側に回動して開き、上記止水扉４の他側端縁４ａを該コ形形鋼材ｐ’内に挿入し、その状態で上記後側止水用直立板２’を閉じ、さらに開閉自在の上端板２ｂを閉じ、該上端板２ｂの後縁に下向に突設したストッパ２ｂ’を上記止水用直立板２’の上縁に係合して（図１、図４）、該直立板２’を前向き及び後向きに固定し、その前向き面によって止水扉４の他側端縁４ａの後向き面と対接支持することができる（図１にその状態を示す）。
【００２１】
止水扉４の上記閉鎖状態では一側壁ｗに設けた止水用直立板２の前向き面に該止水扉４の一側端縁４’の後向き面４”が対接する（図５（ロ）図、図６（ハ）図にその状態を示す）。
【００２２】
両側壁ｗ，ｗ’間の床面ｆは図４に示すように通路１の床面と同一水準であり、又は図１、図３（イ）（ロ）図に示すように両止水用直立板２，２’の前向き面に沿って両コ形形鋼材ｐ，ｐ’間に通路１を横断して止水扉４の下縁下降止水溝ｓを凹設する。
【００２３】
上記止水扉４の両側端縁４’，４ａの後向き面４”，４”、下端縁４ｂの床面４ｂ’及び後向き面にゴム等による止水パッキング８，８，８を貼着し、止水用直立板２，２’の前向き面に貼着したパッキング８’，８’と対接させる。又床面４ｂ’のパッキング８を床面ｆ又は上記止水溝ｓの底面に対接させる（図３（ロ）図、図４、図６（イ）（ロ）（ハ）図、図７（イ）（ロ）図）。
【００２４】
上記止水扉４の閉鎖時において該止水扉４の他側端縁４ａ及び下端縁４ｂ寄りの前向き面に縦方向から横方向に回動自在のハンドル９を軸支し、ハンドル９の他端にカムローラ９’を設けて、カムハンドルを形成し、ハンドル９を図３（イ）図仮想線位置から実線位置に支軸１０を中心に回動させることによってカムローラ９’を他側のコ形形鋼ｐ’内に進入し、該形鋼ｐ’の内部に後向きに設けた固定案内カム９”と上記カムローラ９’との相互作用によって止水扉４の他側端縁４ａ寄り後向き面のパッキング８を他側の止水用直立板２’に圧着することができる（図３（ロ）図）。
【００２５】
又上記下端縁４ｂ寄りの前向き面に上述のように軸支１０したハンドル９を仮想線位置から実線位置に回動させるとカムローラ９’が上記止水溝ｓ内に後向き面ｓ’に案内されて該下端縁４ｂの後向き面を止水溝ｓ内の前向き面ｓ”にパッキング８を介して圧着させることができる。
【００２６】
上記Ｌ形腕６の後端と上記ボス部７の取付位置を図５、図６に示す場合と、図７に示す場合とでは軸受板３，３の方向が異なり、図６では後向きであり、図７では横向きであり、
止水扉４の開き角が図５、図６では１８０度、図７では９０度である。
【実施例】
【００２７】
上記止水扉４は常時上下の支軸５，５によって開閉自在に枢支され、図５（イ）図、図６（イ）図に示すように１８０度に開かれ又は図７（イ）図に示すように９０度に開かれて通路１上を人・車等が通行する。
【００２８】
その際支軸５，５の上端部に形成した円弧状横溝５’内に上記ボス部７内の突起７’が摺動自在に係合し、この溝５’に沿って止水扉４が通路１を左右に横断又は遮断するまで回動させる。
【００２９】
その際通路１の他側の止水用直立板２’は他側壁ｗ’と平行に手動で開かれるから止水扉４の他側端縁４ａはコ形形鋼材ｐ’内に進入し、進入後上記直立板２’を閉じることができる。
【００３０】
上記止水扉４を回動させて上述のように通路を閉じると、上記支軸５，５のそれぞれ上端の横溝５’に連通する縦溝５”に上記ボス部７の自重により該縦溝５”を下降し、止水扉４の下端縁４ｂの底面４ｂ’に貼着したパッキング８が床面ｆ又は止水溝ｓの底面に圧着する。
【００３１】
又この閉鎖状態で止水扉４の前向き面にある上記ハンドル９，９及び９，９を回動させることによってカムローラ９’がそれぞれコ形形鋼ｐ内及び上記止水溝ｓ内に入り、上記止水扉４を止水パッキング８を介して一側端縁４’及び下端縁４ｂの後向き面を止水用直立板２及び止水溝ｓ内の前向き面に圧着させることができる。
【００３２】
上述のようにして地下室等の入口通路１を止水扉４によって水密に閉鎖し、該通路１を止水又は遮水することができる。
【００３３】
水が引いた後は上述の動作と逆の動作によって止水扉４を１８０度又は９０度開き通路１を確保することができる。
【図面の簡単な説明】
【００３４】
【図１】本発明の止水扉の閉鎖状態背面図である。
【図２】（イ）図は止水用直立板に枢支した上昇状態止水扉の一部背面図、（ロ）図は下方状態止水扉の一部背面図である。
【図３】（イ）図は閉鎖止水扉の正面図、（ロ）図は（イ）図Ａ−Ａ線による縦断側面図である。
【図４】両側止水用直立板と止水扉との全体斜視図である。
【図５】（イ）図は止水扉を１８０度開いた状態の斜視図、（ロ）図は止水扉を閉じた状態の斜視図である。
【図６】（イ）（ロ）図は止水扉を１８０度及び９０度開いた状態の一部横断平面図、（ハ）図は止水扉を閉じた状態の横断平面図、（ニ）図は支軸とボス部との分離状態を示す横断平面図である。
【図７】（イ）図は止水扉の９０度回動状態の一部横断平面図、（ロ）図は（イ）図に示す止水扉を閉じた状態の一部横断平面図である。
【符号の説明】
【００３５】
１      通路
２，２’  止水用直立板
２”    後向き面
３      軸受板
４      止水扉
４’    一側端縁
４”    後向き面
４ａ    他側端縁
５      開閉用支軸
６      Ｌ形腕
７      後端ボス部
【図１】
2005113606.tif 000003
【図２】
2005113606.tif 000004
【図３】
2005113606.tif 000005
【図４】
2005113606.tif 000006
【図５】
2005113606.tif 000007
【図６】
2005113606.tif 000008
【図７】
2005113606.tif 000009